(57)【要約】【課題】部品点数、加工数、および製品の横幅を増やすことなく、軸受部材をピンに対してスムーズに回動させることができる配線用遮断器を提供する。【解決手段】接点を開閉するための開閉機構を備えた配線用遮断器であって、開閉機構は、線材の端部を折り曲げて軸部１８を形成したピン６と、このピン６に連結されるラッチ７とを含むものであり、ラッチ７は、軸部１８が挿通されるラッチ連結孔部１１が両腕部にそれぞれ形成された断面が略コ字状の連結部１２を備え、ラッチ連結孔部１１のうち、ピン６の曲げ膨れ部１３を内包する側のラッチ連結孔部１１の径を他方のラッチ連結孔部１１の径よりも拡大した。【選択図】図３
2015041534.tif 000002
【特許請求の範囲】
【請求項１】
接点を開閉するための開閉機構を備えた配線用遮断器であって、
前記開閉機構は、線材を折り曲げて軸部を形成したピンと、このピンに連結される軸受部材とを含むものであり、
該軸受部材は、前記軸部が挿通される孔部が両腕部にそれぞれ形成された断面が略コ字状の連結部を備え、
前記孔部のうち、前記ピンの折り曲げによって内側に生ずる曲げ膨れ部を内包する側の孔部の径を他方の孔部の径よりも拡大したことを特徴とする配線用遮断器。
【請求項２】
前記ピンの軸部の外側位置を揃えて、前記孔部をそれぞれ形成したことを特徴とする請求項１に記載の配線用遮断器。
【請求項３】
接点を開閉するための開閉機構を備えた配線用遮断器であって、
前記開閉機構は、線材を折り曲げて軸部を形成したピンと、このピンに連結される軸受部材とを含むものであり、
該軸受部材は、前記軸部が挿通される孔部が両腕部にそれぞれ形成された断面が略コ字状の連結部を備え、
前記孔部は、前記ピンの折り曲げによって内側に生ずる曲げ膨れ部を内包する側の孔部を傾斜させることにより、他方の孔部の径よりも拡大したことを特徴とする配線用遮断器。
【発明の詳細な説明】
【技術分野】
【０００１】
本発明は、線材を折り曲げて軸部を形成したピンと、このピンの軸部を挿通する軸受部材とを介して、クロスバを押圧して開閉動作を行う開閉機構を備えた配線用遮断器に関するものである。
【背景技術】
【０００２】
配線用遮断器の開閉機構として、特許文献１のように、接点の開閉作業を行うハンドルと、このハンドル操作と連動して動作する軸受部材との間を、線材の端部を折り曲げて軸部を形成した略コ字状のピンによって連結した技術が開示されている。
【０００３】
しかしながら、前記ピンの端部を略コ字状に折り曲げて、図６のように軸部１０１を形成した際には、折り曲げ部１０２の内側には曲げ膨れ部１０３が発生するため、軸受部材１０４を曲げ膨れ部１０３に係るまで挿入した場合には、曲げ膨れ部１０３に軸受部材１０４が引っ掛かり、軸受部材１０４のピン１０５に対する回動を阻害することがある。これを回避するためには、軸受部材と曲げ膨れ部との距離間を大きくすればよいが、製品の横幅が大きくなってしまう。また、横幅を抑えるために、ピンの横幅方向に潰し部を形成する構造とすることもできるが、加工コストがかかってしまう。さらに、軸受部材と曲げ膨れ部との間に薄板を設けて引っ掛かりを防止する構造では、部品点数が増え、同様にコスト高となる点が問題である。
【先行技術文献】
【特許文献】
【０００４】
【特許文献１】特開２００６−２３６８７４
【発明の概要】
【発明が解決しようとする課題】
【０００５】
本発明の目的は前記した従来の問題点を解決し、部品点数、加工数、および製品の横幅を増やすことなく、軸受部材をピンに対してスムーズに回動させることができる配線用遮断器を提供することである。
【課題を解決するための手段】
【０００６】
上記課題を解決するためになされた本発明は、接点を開閉するための開閉機構を備えた配線用遮断器であって、前記開閉機構は、線材を折り曲げて軸部を形成したピンと、このピンに連結される軸受部材とを含むものであり、該軸受部材は、前記軸部が挿通される孔部が両腕部にそれぞれ形成された断面が略コ字状の連結部を備え、前記孔部のうち、前記ピンの折り曲げによって内側に生ずる曲げ膨れ部を内包する側の孔部の径を他方の孔部の径よりも拡大したことを特徴とするものである。
【０００７】
請求項２記載の発明は、請求項１記載の配線用遮断器において、前記ピンの軸部の外側位置を揃えて、前記孔部をそれぞれ形成したことを特徴とするものである。
【０００８】
請求項３記載の発明は、接点を開閉するための開閉機構を備えた配線用遮断器であって、前記開閉機構は、線材を折り曲げて軸部を形成したピンと、このピンに連結される軸受部材とを含むものであり、該軸受部材は、前記軸部が挿通される孔部が両腕部にそれぞれ形成された断面が略コ字状の連結部を備え、前記孔部は、前記ピンの折り曲げによって内側に生ずる曲げ膨れ部を内包する側の孔部を傾斜させることにより、他方の孔部の径よりも拡大したことを特徴とするものである。
【発明の効果】
【０００９】
本発明に係る配線用遮断器は、軸受部材に、軸部が挿通される孔部を両腕部にそれぞれ形成した断面が略コ字状の連結部を備え、前記孔部のうち、ピンの折り曲げによって内側に生ずる曲げ膨れ部を内包する側の孔部の径を他方の孔部の径よりも拡大した。これにより、ピンと軸受部材とを連結した際、部品点数や加工数、さらに製品の横幅等を増やすことなく、軸受部材をピンに対してスムーズに回動させることができる。
【図面の簡単な説明】
【００１０】
【図１】本発明の実施形態の開閉機構を示すオン状態の正面図である。
【図２】本発明の実施形態の開閉機構を示すオフ状態の正面図である。
【図３】本発明の実施形態のラッチとピンを示す図である。
【図４】本発明の実施形態のラッチにピンを挿入した際の拡大図である。
【図５】本発明のその他の実施形態を示す拡大図である。
【図６】従来の軸受部材にピンを挿入した際の拡大図である。
【発明を実施するための形態】
【００１１】
以下に本発明の好ましい実施形態を示す。
図１において、配電用遮断器は、端子部１と、接点の開閉を行う可動接触子２および固定接触子３と、可動接触子２を駆動する開閉機構と、過電流が流れた際に接点の引き外しを行う遮断機構部としてのトリガー４とからなる。前記開閉機構は、オン、オフを切り替えるハンドル５と、ハンドル５に連結されたピン６と、ピン６に連結された軸受部材としてのラッチ７と、ラッチ７の下方に位置するクロスバ８とからなるものである。
【００１２】
ハンドル５には、ハンドル５の軸から斜め下方に延びる延設部９が形成されており、その先端にはハンドル連結孔部１０が形成されている。ピン６は、図１および図３のように、ハンドル５とラッチ７とを連結するための部材であり、金属製の線材の端部を略コ字状に折り曲げて軸部１８としたものであり、上端がハンドル連結孔部１０に枢着され、下端がラッチ連結孔部１１に枢着されるものである。またラッチ７は、金属製であり、図１および図３のように、ピン６と連結するための断面が略コ字状の連結部１２を備えている。さらに、ラッチ７の下方にはクロスバ８が位置し、クロスバ８の下方には可動接触子２が位置している。
【００１３】
前記ピン６は、図３のように断面が略コ字状に折り曲げ形成されるため、折り曲げ部１７の内側には曲げ膨れ部１３が形成されることとなる。このピン６に連結されたラッチ７は、図３のように断面が略コ字状に形成された連結部１２を備えており、その両腕部にはそれぞれピン６の軸部１８を挿通するラッチ連結孔部１１が形成されている。さらに、ピン６の曲げ膨れ部１３の全体もしくは一部を内包する側のラッチ連結孔部１１の外径を、他方のラッチ連結孔部１１の外径に対して大きくなるよう形成するものとした。これにより、部品点数や加工数、さらに製品の横幅等を増やすことなく、ラッチ７のピン６に対する回動をスムーズなものとすることができる。また、他方のラッチ連結孔部１１を拡大しないことにより、ピン６とラッチ７とのがたつきを最小限に抑えることができる。
【００１４】
なお、図４のように、ピン６の軸部１８の外側位置を揃えて、ラッチ連結孔部１１をそれぞれ形成することがより好ましい。
【００１５】
その他の実施形態として、ピン６の曲げ膨れ部１３を内包する側のラッチ連結孔部１１を、ピン６の軸部１８が挿入される開口側に向かってラッチ連結孔部１１の径が拡大するように傾斜させることによって、他方のラッチ連結孔部１１の径よりも拡大した傾斜部１４を備えるものとしてもよい。なお、傾斜部１４は少なくともラッチ連結孔部１１の上部にあればよい。またその他にも、ラッチ連結孔部１１は、ラッチ７にピン６の軸部１８を挿通した際に、曲げ膨れ部１３がラッチ７の回動を妨げない形状であればよい。
【００１６】
以上のように構成された配線用遮断器において、接点の閉極の際には、ハンドル５の動作によってピン６が下方に移動し、ラッチ連結孔部１１がピン６に対して回転しながら、下方に移動する。これによってラッチ７の下方に位置するクロスバ８が下方に押圧され、さらにクロスバ８が可動接触子を下方に押圧することとなり、可動接触子２の可動接点１５と、固定接触子３の固定接点１６とが接触することで図１に示すオン状態となる。
【００１７】
接点の開極の際には、ハンドル５の動作によってピン６が上方に移動し、ラッチ連結孔部１１がピン６に対して回転しながら、上方に移動することによって、ラッチ７の下方に位置するクロスバ８への押圧が解除されクロスバ８が上昇し、可動接触子２の可動接点１５と、固定接触子３の固定接点１６とが解離し、図２に示すオフ状態となる。
【００１８】
また、ラッチ７には遮断機構部としてのトリガー４が係止されており、過電流が生じてトリガー４が作動すると、ラッチ７とトリガー４との係止が解除され、常時開方向に付勢されたクロスバ８の押圧が解除され、可動接触子２の可動接点１５と、固定接触子３の固定接点１６とが解離するものとした。
【００１９】
なお、ラッチ７は開閉機構内でピン６と回動可能に連結するものであれば、本実施形態の位置および機能に限定されることはなく、またラッチ７にはトリガー４に係止される箇所を含まずに、別部材とした構造であってもよい。また、本実施形態においてはピン６の一端がハンドル５と連結しているが、これに限定されず、その他開閉機構に回動可能に連結される構造や、ピン６の他端のみが開閉機構に回転可能に連結される構造にも、本発明を適用することができるものとする。
【符号の説明】
【００２０】
１  端子部
２  可動接触子
３  固定接触子
４  トリガー
５  ハンドル
６  ピン
７  ラッチ
８  クロスバ
９  延設部
１０  ハンドル連結孔部
１１  ラッチ連結孔部
１２  連結部
１３  曲げ膨れ部
１４  傾斜部
１５  可動接点
１６  固定接点
１７  折り曲げ部
１８  軸部
１０１  軸部
１０２  折り曲げ部
１０３  曲げ膨れ部
１０４  軸受部材
１０５  ピン
【図１】
2015041534.tif 000003
【図２】
2015041534.tif 000004
【図３】
2015041534.tif 000005
【図４】
2015041534.tif 000006
【図５】
2015041534.tif 000007
【図６】
2015041534.tif 000008